(57)【要約】  【課題】セグメントメタデータの作成が容易になるセグメントメタデータ作成装置を提供する。  【解決手段】映像・音声入力部１０１は、セグメントメタデータの作成対象のタイムコード付き動画を入力する。作成予定入力部１０５は、セグメントメタデータを構成すべき映像内容情報を含むセグメントメタデータ作成予定情報を入力し、作成予定情報は動画と共に表示される。端点入力手段である開始点・終了点入力部１０６が、セグメントメタデータの開始点および終了点の少なくとも一方をセグメント端点として入力する。セグメント端点のタイムコードがセグメントメタデータ作成予定の映像内容情報に対応付けられて、セグメントメタデータが生成される。セグメント端点の探索作業を支援するために、セグメントメタデータを識別する確認データが表示される。【選択図】  図１
2007124368.tif 000002
【特許請求の範囲】
【請求項１】
動画の区間の情報を表すセグメントメタデータを作成するセグメントメタデータ作成装置であって、
作成予定のセグメントメタデータを構成すべき映像内容情報を含むセグメントメタデータ作成予定情報を入力する作成予定入力手段と、
前記動画と前記セグメントメタデータ作成予定情報とを表示する表示手段と、
前記セグメントメタデータ作成予定情報に対応するセグメントメタデータの開始点および終了点の少なくとも一方をセグメント端点として入力する端点入力手段と、
前記セグメントメタデータ作成予定情報の映像内容情報に、入力された前記セグメント端点のタイムコードを対応づけることにより、作成済みセグメントメタデータを生成するセグメントメタデータ生成手段と、
前記動画と前記セグメントメタデータ作成予定情報と前記作成済みセグメントメタデータとを記憶する記憶手段と、
を有することを特徴とするセグメントメタデータ作成装置。
【請求項２】
前記セグメントメタデータ作成予定情報が、前記映像内容情報と共に、前記セグメントメタデータが付されるセグメント映像を識別する情報である確認データを含み、前記確認データは、静止画、動画、音声、および文字列のいずれか一つ以上で構成されており、前記動画から前記セグメント端点を探索する作業を支援するために出力されることを特徴とする請求項１に記載のセグメントメタデータ作成装置。
【請求項３】
前記作成予定入力手段は、複数種類のセグメントメタデータのセグメントメタデータ作成予定情報を入力し、前記端点入力手段は、前記複数種類のセグメントメタデータの各々の前記セグメント端点を入力し、前記セグメントメタデータ生成手段は、前記複数種類の各々の作成済みセグメントメタデータを生成し、前記表示手段は、前記複数種類のセグメントメタデータ作成予定情報および前記作成済みセグメントメタデータを種類別に表示することを特徴とした請求項１または２に記載のセグメントメタデータ作成装置。
【請求項４】
前記表示手段は、さらに、前記セグメントメタデータ生成手段にて生成された前記作成済みセグメントメタデータを時系列で表示することを特徴とした請求項１ないし３のいづれかに記載のセグメントメタデータ作成装置。
【請求項５】
前記作成予定入力手段が、さらに、複数のセグメントメタデータをそれぞれ付与する予定の複数のセグメント映像の出現予定順序情報を入力し、
前記セグメントメタデータ生成手段は、前記出現予定順序情報に基づいて、次に作成すべきセグメントメタデータの前記セグメントメタデータ作成予定情報でもって前記表示手段の表示を更新することを特徴とする請求項１ないし４のいずれかに記載のセグメントメタデータ作成装置。
【請求項６】
前記作成予定入力手段が、さらに、複数のセグメントメタデータをそれぞれ付与する予定の複数のセグメント映像の出現予定回数情報を入力し、
前記セグメントメタデータ生成手段は、前記出現予定回数情報に基づいて、次に作成すべきセグメントメタデータの前記セグメントメタデータ作成予定情報でもって前記表示手段の表示を更新することを特徴とする請求項１ないし４のいずれかに記載のセグメントメタデータ作成装置。
【請求項７】
前記動画から映像の特徴量が閾値以上変化するときのタイムコードをカット点のタイムコードとして検出するカット点検出手段を備え、
前記セグメントメタデータ生成手段は、前記カット点が前記セグメント端点であるか否かを前記セグメントメタデータ作成予定情報と前記動画に基づいて判定することによって前記セグメント端点を検出し、検出された前記セグメント端点のタイムコードを前記映像内容情報に対応付けて前記セグメントメタデータを自動生成することを特徴とする請求項１ないし６のいずれかに記載のセグメントメタデータ作成装置。
【請求項８】
前記表示手段に表示された前記作成済みセグメントメタデータの選択を受け付ける選択受付手段を含み、前記選択受付手段により選択が受け付けられた前記作成済みセグメントメタデータに対応するセグメント映像を前記表示手段が表示することを特徴とする請求項１ないし７のいずれかに記載のセグメントメタデータ作成装置。
【請求項９】
動画の区間の情報を表すセグメントメタデータを作成するセグメントメタデータ作成方法であって、
作成予定のセグメントメタデータを構成すべき映像内容情報を含むセグメントメタデータ作成予定情報を入力する作成予定入力ステップと、
前記動画と前記セグメントメタデータ作成予定情報とを表示する表示ステップと、
前記セグメントメタデータ作成予定情報に対応するセグメントメタデータの開始点および終了点の少なくとも一方をセグメント端点として入力する端点入力ステップと、
前記セグメントメタデータ作成予定情報の映像内容情報に、入力された前記セグメント端点のタイムコードを対応づけることにより、作成済みセグメントメタデータを生成するセグメントメタデータ生成ステップと、
前記動画と前記セグメントメタデータ作成予定情報と前記作成済みセグメントメタデータとを記憶する記憶ステップと、
を有することを特徴とするセグメントメタデータ作成方法。
【請求項１０】
前記セグメントメタデータ作成予定情報が、前記映像内容情報と共に、前記セグメントメタデータが付されるセグメント映像を識別する情報である確認データを含み、前記確認データは、静止画、動画、音声、および文字列のいずれか一つ以上で構成されており、前記動画から前記セグメント端点を探索する作業を支援するために出力されることを特徴とする請求項９に記載のセグメントメタデータ作成方法。
【請求項１１】
前記作成予定入力ステップは、複数種類のセグメントメタデータのセグメントメタデータ作成予定情報を入力し、前記端点入力ステップは、前記複数種類のセグメントメタデータの各々の前記セグメント端点を入力し、前記セグメントメタデータ生成ステップは、前記複数種類の各々の作成済みセグメントメタデータを生成し、前記表示ステップは、前記複数種類のセグメントメタデータ作成予定情報および前記作成済みセグメントメタデータを種類別に表示することを特徴とした請求項８または９に記載のセグメントメタデータ作成方法。
【請求項１２】
前記表示ステップは、さらに、前記セグメントメタデータ生成手段にて生成された前記作成済みセグメントメタデータを時系列で表示することを特徴とした請求項９ないし１１のいずれかに記載のセグメントメタデータ作成方法。
【請求項１３】
前記作成予定入力ステップが、さらに、複数のセグメントメタデータをそれぞれ付与する予定の複数のセグメント映像の出現予定順序情報を入力し、
前記セグメントメタデータ生成ステップは、前記出現予定順序情報に基づいて、次に作成すべきセグメントメタデータの前記セグメントメタデータ作成予定情報を表示する制御を行うことを特徴とする請求項９ないし１２のいずれかに記載のセグメントメタデータ作成方法。
【請求項１４】
前記作成予定入力ステップが、さらに、複数のセグメントメタデータをそれぞれ付与する予定の複数のセグメント映像の出現予定回数情報を入力し、
前記セグメントメタデータ生成ステップは、前記出現予定回数情報に基づいて、次に作成すべきセグメントメタデータの前記セグメントメタデータ作成予定情報を表示する制御を行うことを特徴とする請求項９ないし１２のいずれかに記載のセグメントメタデータ作成方法。
【請求項１５】
前記動画から映像の特徴量が閾値以上変化するときのタイムコードをカット点のタイムコードとして検出するカット点検出ステップを有し、
前記カット点が前記セグメント端点であるか否かを前記セグメントメタデータ作成予定情報と前記動画に基づいて判定することによって前記セグメント端点を検出し、検出された前記セグメント端点のタイムコードを前記映像内容情報に対応付けて前記セグメントメタデータを自動生成することを特徴とする請求項９ないし１４のいずれかに記載のセグメントメタデータ作成方法。
【請求項１６】
表示された前記作成済みセグメントメタデータの選択を受け付ける選択受付ステップを含み、選択が受け付けられた前記作成済みセグメントメタデータに対応するセグメント映像を表示することを特徴とする請求項９ないし１５のいずれかに記載のセグメントメタデータ作成方法。
【請求項１７】
動画の区間の情報を表すセグメントメタデータを作成する処理をコンピュータに実行させるセグメントメタデータ作成プログラムであって、
作成予定のセグメントメタデータを構成すべき映像内容情報を含むセグメントメタデータ作成予定情報を入力する作成予定入力ステップと、
前記動画と前記セグメントメタデータ作成予定情報とを表示する表示ステップと、
前記セグメントメタデータ作成予定情報に対応するセグメントメタデータの開始点および終了点の少なくとも一方をセグメント端点として入力する端点入力ステップと、
前記セグメントメタデータ作成予定情報の映像内容情報に、入力された前記セグメント端点のタイムコードを対応づけることにより、作成済みセグメントメタデータを生成するセグメントメタデータ生成ステップと、
前記動画と前記セグメントメタデータ作成予定情報と前記作成済みセグメントメタデータとを記憶する記憶ステップと、
を前記コンピュータに実行させることを特徴とするセグメントメタデータ作成プログラム。
【発明の詳細な説明】
【技術分野】
【０００１】
本発明は、動画にセグメントメタデータを付与するセグメントメタデータ作成装置およびセグメントメタデータ作成方法に関する。
【背景技術】
【０００２】
情報通信技術の発展を背景として各種の放送技術の開発が進展する中で、サーバー型放送の開始が予定されている。サーバー型放送では、放送された映像や情報及び通信から取得した映像や情報を受信機に蓄積して活用するサービスが行われる。そのサービスの一つとして、放送される映像の区間に関する情報であるセグメントメタデータを利用し、蓄積された映像の一部区間のみを視聴したり、番組の見所のみを抽出して視聴するダイジェスト視聴などが行われる見込みである。
【０００３】
ここで、メタデータとは、データそのものではなく、データについての情報を記述したデータである。セグメントメタデータとは、動画を複数の区間に分割したときの、区間のメタデータである。セグメントメタデータは、対象区間の画像の内容の情報（意味メタデータともいう、例えばセグメントのタイトル）と、対象区間の開始時間及び終了時間の情報（区間メタデータともいう）とで構成される。
【０００４】
従来、セグメントメタデータを作成する技術においては、それぞれ異なるメタデータ内容が、キー入力装置の各キーに割り当てられる。作成者は、動画を参照しながら、各キーを、そのキーに対応するメタデータ内容の画像が表示されたときに操作する。このキー入力により、タイムコード付きメタデータが作成される（例えば、特許文献１参照）。
【特許文献１】特開２００５−２２２３２９号公報
【発明の開示】
【発明が解決しようとする課題】
【０００５】
しかしながら、上述した従来のセグメントメタデータ作成装置においては、以下のような問題がある。
【０００６】
従来技術では、作成者が作成すべきメタデータを記憶し、記憶に頼ってメタデータを作成している。作成者は、メタデータの作成漏れがないように、作成すべきメタデータを記憶していなければならず、そのため、作成作業が容易でないという問題がある。さらに、従来技術では、キーに割り当てられたメタデータの内容と動画の対応付けを、作成者が判断する必要がある。そのため、動画に出現する人物の顔や特徴を作成者が理解して記憶していないとキー入力することができないので、作成作業が容易でないという問題がある。
【０００７】
また、従来技術では、メタデータの種類の増加に比例してメタデータの内容を割り当てるキー数が増加する。メタデータの種類が増加すると所望のキーを探索する作業が容易でなくなり、それに伴って作業の負荷と時間も増大するという問題がある。
【０００８】
本発明は、従来の問題を解決するためになされたもので、その目的は、セグメントメタデータの作成が容易になるセグメントメタデータ作成装置およびセグメントメタデータ作成方法を提供することにある。
【課題を解決するための手段】
【０００９】
本発明のセグメントメタデータ作成装置は、動画の区間の情報を表すセグメントメタデータを作成する装置であって、作成予定のセグメントメタデータを構成すべき映像内容情報を含むセグメントメタデータ作成予定情報を入力する作成予定入力手段と、前記動画と前記セグメントメタデータ作成予定情報とを表示する表示手段と、前記セグメントメタデータ作成予定情報に対応するセグメントメタデータの開始点および終了点の少なくとも一方をセグメント端点として入力する端点入力手段と、前記セグメントメタデータ作成予定情報の映像内容情報に、入力された前記セグメント端点のタイムコードを対応づけることにより、作成済みセグメントメタデータを生成するセグメントメタデータ生成手段と、前記動画と前記セグメントメタデータ作成予定情報と前記作成済みセグメントメタデータとを記憶する記憶手段と、を有する。
【００１０】
この構成により、セグメントメタデータ作成予定情報として、作成予定のセグメントメタデータを構成すべき映像内容情報が入力され、作成予定情報が表示される。作成者は、動画の内容を全て記憶していなくても、作成予定情報を見てセグメント端点を入力すればよく、したがって、セグメントメタデータの作成が容易になる。
【００１１】
また、本発明のセグメントメタデータ作成装置においては、前記セグメントメタデータ作成予定情報が、前記映像内容情報と共に、前記セグメントメタデータが付されるセグメント映像を識別する情報である確認データを含み、前記確認データは、静止画、動画、音声、および文字列のいずれか一つ以上で構成されており、前記動画から前記セグメント端点を探索する作業を支援するために出力される。
【００１２】
この構成により、映像内容情報と共に確認データが表示される。確認データは、セグメントメタデータが付されるセグメント映像を識別する情報であり、対象のセグメント映像を特徴づけるものである。確認データが出力されるので、作成者は、確認データを見ながら、セグメント端点（開始点および終了点）を容易に探索できる。例えば、セグメント映像に出現する人物の顔や特徴などが確認データとして表示される。これにより、動画に出現する人物の顔や特徴などを全て理解していなくとも作成者はセグメントメタデータの作成作業を行える。このようにして、セグメントメタデータの作成が容易になる。
【００１３】
また、本発明のセグメントメタデータ作成装置において、前記作成予定入力手段は、複数種類のセグメントメタデータのセグメントメタデータ作成予定情報を入力し、前記端点入力手段は、前記複数種類のセグメントメタデータの各々の前記セグメント端点を入力し、前記セグメントメタデータ生成手段は、前記複数種類の各々の作成済みセグメントメタデータを生成し、前記表示手段は、前記複数種類のセグメントメタデータ作成予定情報および前記作成済みセグメントメタデータを種類別に表示する。
【００１４】
この構成により、複数種類のセグメントメタデータをデータの種類別に表示でき、複数種類のセグメントメタデータを作成することが可能となる。
【００１５】
また、本発明のセグメントメタデータ作成装置において、前記表示手段は、さらに、前記セグメントメタデータ生成手段にて生成された前記作成済みセグメントメタデータを時系列で表示する。
【００１６】
この構成により、セグメントメタデータ作成後に確認したいセグメントメタデータを容易に選択することが可能となる。
【００１７】
また、本発明のセグメントメタデータ作成装置においては、前記作成予定入力手段が、さらに、複数のセグメントメタデータをそれぞれ付与する予定の複数のセグメント映像の出現予定順序情報を入力し、前記セグメントメタデータ生成手段は、前記出現予定順序情報に基づいて、次に作成すべきセグメントメタデータの前記セグメントメタデータ作成予定情報でもって前記表示手段の表示を更新する。
【００１８】
この構成により、次に作成すべきセグメントメタデータの作成予定情報を表示することが可能となる。典型的には、一つのセグメントメタデータが生成されると、次に作成すべきセグメントメタデータの作成予定情報を表示するように表示手段がセグメントメタデータ生成手段により制御される。作成者は、順次表示される作成予定のセグメントメタデータのセグメント端点を入力する。したがって、セグメントメタデータの作成作業が容易になる。
【００１９】
また、本発明のセグメントメタデータ作成装置においては、前記作成予定入力手段が、さらに、複数のセグメントメタデータをそれぞれ付与する予定の複数のセグメント映像の出現予定回数情報を入力し、前記セグメントメタデータ生成手段は、前記出現予定回数情報に基づいて、次に作成すべきセグメントメタデータの前記セグメントメタデータ作成予定情報でもって前記表示手段の表示を更新する。
【００２０】
この構成により、次に作成すべきセグメントメタデータの作成予定情報を表示することが可能となる。典型的には、一つのセグメントメタデータが生成されると、次に作成すべきセグメントメタデータの作成予定情報を表示するように表示手段がセグメントメタデータ生成手段により制御される。作成者は、順次表示される作成予定のセグメントメタデータのセグメント端点を入力する。したがって、セグメントメタデータの作成作業が容易になる。
【００２１】
また、本発明のセグメントメタデータ作成装置は、前記動画から映像の特徴量が閾値以上変化するときのタイムコードをカット点のタイムコードとして検出するカット点検出手段を備え、前記セグメントメタデータ生成手段は、前記カット点が前記セグメント端点であるか否かを前記セグメントメタデータ作成予定情報と前記動画に基づいて判定することによって前記セグメント端点を検出し、検出された前記セグメント端点のタイムコードを前記映像内容情報に対応付けて前記セグメントメタデータを自動生成する。
【００２２】
この構成により、セグメントメタデータの自動生成機能を付加できる。また、従来は、フレームレベルの精度でセグメント開始点および終了点を生成しようとすると、フレームを１枚ずつ参照して、セグメントの始まりと終わりのフレームを探す作業が必要であり、作業に時間がかかっていた。本発明では、画像処理により特徴量からカット点が検出されるので、フレームレベルの精度でセグメントメタデータを作成するのに要する時間を短縮することができる。
【００２３】
また、本発明のセグメントメタデータ作成装置は、前記表示手段に表示された前記作成済みセグメントメタデータの選択を受け付ける選択受付手段を含み、前記選択受付手段により選択が受け付けられた前記作成済みセグメントメタデータに対応するセグメント映像を前記表示手段が表示する。
【００２４】
この構成により、生放送番組等で次々にメタデータを更新するようなサービスの場合でも、作成したメタデータの開始点、終了点およびメタデータの内容を迅速に確認することができる。
【００２５】
本発明の別の態様は、動画の区間の情報を表すセグメントメタデータを作成するセグメントメタデータ作成方法であって、この方法は、作成予定のセグメントメタデータを構成すべき映像内容情報を含むセグメントメタデータ作成予定情報を入力する作成予定入力ステップと、前記動画と前記セグメントメタデータ作成予定情報とを表示する表示ステップと、前記セグメントメタデータ作成予定情報に対応するセグメントメタデータの開始点および終了点の少なくとも一方をセグメント端点として入力する端点入力ステップと、前記セグメントメタデータ作成予定情報の映像内容情報に、入力された前記セグメント端点のタイムコードを対応づけることにより、作成済みセグメントメタデータを生成するセグメントメタデータ生成ステップと、前記動画と前記セグメントメタデータ作成予定情報と前記作成済みセグメントメタデータとを記憶する記憶ステップとを有する。この方法によっても上述の本発明の利点が得られる。また、この態様には、上述のセグメントメタデータ作成装置の態様で説明される各種の付加的な構成を適用可能であり、それら付加的な構成の利点も同様に得られる。
【００２６】
本発明の別の態様は、動画の区間の情報を表すセグメントメタデータを作成する処理をコンピュータに実行させるセグメントメタデータ作成プログラムであって、このプログラムは、作成予定のセグメントメタデータを構成すべき映像内容情報を含むセグメントメタデータ作成予定情報を入力する作成予定入力ステップと、前記動画と前記セグメントメタデータ作成予定情報とを表示する表示ステップと、前記セグメントメタデータ作成予定情報に対応するセグメントメタデータの開始点および終了点の少なくとも一方をセグメント端点として入力する端点入力ステップと、前記セグメントメタデータ作成予定情報の映像内容情報に、入力された前記セグメント端点のタイムコードを対応づけることにより、作成済みセグメントメタデータを生成するセグメントメタデータ生成ステップと、前記動画と前記セグメントメタデータ作成予定情報と前記作成済みセグメントメタデータとを記憶する記憶ステップとを前記コンピュータに実行させる。この構成によっても上述の本発明の利点が得られる。また、この態様には、上述のセグメントメタデータ作成装置の態様で説明される各種の付加的な構成を適用可能であり、それら付加的な構成の利点も同様に得られる。
【発明の効果】
【００２７】
本発明は、セグメントメタデータの作成作業にセグメントメタデータ作成予定を利用可能にする構成を設けたことにより、セグメントメタデータの作成作業が容易になるという効果を有するセグメントメタデータ作成装置およびセグメントメタデータ作成方法を提供することができる。
【発明を実施するための最良の形態】
【００２８】
以下、本発明の実施の形態に係るセグメントメタデータ作成装置について、図面を用いて説明する。
【００２９】
本実施の形態に係るセグメントメタデータ作成装置を図１に示す。本実施の形態は、セグメントメタデータの作成者が、動画をリアルタイムに視聴しながら、動画に対してリアルタイムにセグメントメタデータを作成することを想定している。
【００３０】
図１において、セグメントメタデータ作成装置１００は、タイムコード付きの動画を入力する手段である映像・音声入力部１０１と、入力された動画の表示制御や記憶された動画の表示制御を行う映像・音声制御部１０２と、入力された動画から映像の特徴量が閾値以上変化するタイムコードを検出する映像特徴量算出部１０３と、セグメントメタデータの作成予定であるセグメントメタデータ作成予定情報を入力する手段である作成予定入力部１０５と、セグメントメタデータのセグメント端点である開始点および終了点を入力する手段である開始点・終了点入力部１０６と、動画とセグメントメタデータ作成予定情報および作成済みセグメントメタデータを表示する表示部１０７と、動画とセグメントメタデータ作成予定情報と作成済みセグメントメタデータと作成予定表示条件を記憶する記憶部１１１と、セグメントメタデータ作成のための制御を行うとともにセグメントメタデータを生成する手段であるセグメントメタデータ作成制御部１０４とを有する。
【００３１】
図１のセグメントメタデータ作成装置１００は、画像処理機能を含む演算処理機能と入出力機能および記憶機能を持ったコンピュータで構成されており、表示部１０７はディスプレイで実現され、各種入力部はキーボード、マウスその他の入力デバイスで実現される。また、図１の開始点・終了点入力部１０６が本発明の端点入力手段として機能し、セグメントメタデータ作成制御部１０４がセグメントメタデータ生成手段として機能する。
【００３２】
ここで、本実施の形態におけるセグメントメタデータとその作成予定情報について説明する。既に説明したように、メタデータとは、データそのものではなく、データについての情報を記述したデータである。そして、セグメントメタデータとは、動画を複数の区間に分割したときの、区間のメタデータである。セグメントメタデータは、映像内容情報とセグメント端点情報で構成される。映像内容情報は、対象区間の映像の内容の情報であり、例えばセグメントのタイトルや登場人物などである（意味メタデータともいう）。セグメント端点は、対象区間のセグメント映像の開始点および終了点の情報である（区間メタデータともいう）。
【００３３】
本実施の形態のセグメントメタデータ作成予定情報は、作成が予定されているセグメントメタデータの映像内容情報を含んでいる。このような作成予定情報が予め入力され、表示される。そして、作成者が、作成予定情報の表示を参考にして、対象のセグメントメタデータのセグメント端点を入力する。こうしてセグメント端点が入力装置から入力され、作成予定情報の映像内容情報と対応づけられて、セグメントメタデータが生成されることになる。
【００３４】
また、本実施の形態では、セグメントメタデータ作成予定情報が、上記の映像内容情報に加えて、確認データを含んでいる。確認データは、セグメントメタデータが付されるセグメント映像を識別する情報であり、静止画、動画、音声、および文字列のいずれか一つ以上で構成される。確認データは、作成予定のセグメントメタデータの映像内容情報と共に出力されて、動画からセグメント端点を探索する作業を支援する。
【００３５】
具体例を挙げると、本実施の形態では、動画が野球であり、野球の映像にセグメントメタデータが付与される。例えば、各打者の各打席の映像が、セグメント映像であり、セグメントメタデータの付与対象である。そして、セグメントメタデータ作成予定情報は、例えば打者の名前である。一方、確認データは、例えば打者の顔写真と声である。これら打者の名前と顔写真が表示される。顔写真と声を参考にしてセグメント端点が探索および入力される。作業者は全打者を予め熟知していなくても容易に作業を進められる。そして、入力装置からセグメント端点が入力されると、セグメント端点が映像内容情報（打者名）と対応付けられて、セグメントメタデータが生成される。
【００３６】
本実施の形態は、既に述べたように、作成者が動画をリアルタイムに視聴しながら、動画に対してリアルタイムにセグメントメタデータを作成することを想定している。野球を例にとると、野球の映像と共に、打者の名前と顔が表示される。これら表示を見ながら、作業者は、打者が変わる度に、セグメント端点を入力する。例えば、一人の打者Ａの打席が終わり、次の打者Ｂの打席が始まるとすると、作成者は、打者Ｂの打席の間に打者Ａの打席の開始点および終了点を入力する。この作業が繰り返されて、リアルタイムでセグメントメタデータが順次作成されていく。
【００３７】
また、本実施の形態では、後述するように、複数種類のセグメントメタデータが生成される。すなわち、複数種類のセグメントメタデータ作成予定情報が入力されて、それら作成予定情報に対応するセグメントメタデータが生成される。例えば、野球の例では、一つ目の種類は、上述した各打者の各打席の映像である。二つ目の種類は、各イニング（１回表、１回裏、２回表・・・）の映像である。さらに他の種類のセグメントメタデータが生成されてよい。各種類のセグメントメタデータにつき、作成予定情報が入力されて、処理される。
【００３８】
また、本実施の形態では、後述するように、一つのセグメントメタデータが生成されると、次に作成すべきセグメントメタデータの作成予定情報が表示される。この処理は、セグメントメタデータの作成順序を示す情報に基づいて行われる。具体的には、各打席のセグメントメタデータについては、打順のデータが入力され、記憶され、利用される。また、各イニングのセグメントメタデータについては、回数（１〜９回の表と裏で合計１８）のデータが入力され、記憶され、利用される。前者は本発明の出現予定順序情報に相当し、後者は本発明の出現予定回数情報に相当する。
【００３９】
以上に、本実施の形態のセグメントメタデータ作成予定情報とその処理の概要を説明した。次に、図１に戻り、セグメントメタデータ作成装置１００の各部構成についてさらに説明する。
【００４０】
図１において、表示部１０７は、動画の表示を行う動画表示部１０８と、作成済みセグメントメタデータや映像の特徴量が閾値以上変化するタイムコードを時系列に表示するタイムライン表示部１０９と、セグメントメタデータ作成予定情報と作成済みセグメントメタデータをセグメントメタデータの種類毎に表示するグループ表示部１１０とを有する。
【００４１】
また、記憶部１１１は、動画の記憶を行う映像・音声記憶部１１２と、入力されたセグメントメタデータ作成予定情報を記憶する作成予定記憶部１１３と、作成済みセグメントメタデータを記憶する作成済みセグメントメタデータ記憶部１１４と、セグメントメタデータ作成予定の表示条件を記憶する作成予定表示条件設定記憶部１１５とを有する。表示条件も作成予定入力部１０５から入力されてよい。
【００４２】
グループ表示部１１０は、本発明の表示手段として機能し、セグメントメタデータ作成予定情報や作成済みセグメントメタデータをセグメントメタデータの種類毎に表示する。グループ表示部１１０によりディスプレイに表示される画面の一例を図２に示す。図２は、人物の登場する動画に対してセグメントメタデータを作成する場合を想定している。前述の野球の例を用いると、複数の種類（グループ）の一つが打席単位の映像であり、もう一つがイニング単位の映像である。この場合、図２は、前者の打席関連の情報を表示した画面に相当する。他のグループの表示も同様に行われ、好ましくは、複数のグループ表示が画面に並べて配置される。画面が区分けされて、動画や複数のグループ表示などの各種画像が並べて表示されてよい。
【００４３】
図２において、１つのグループ表示は、セグメントメタデータ作成予定情報のタイトルのリスト２０１と、作成済みセグメントメタデータのタイトルのリスト２０２と、作成予定や作成済みセグメントメタデータの内容２０３と、作成予定や作成済みセグメントメタデータの対象映像を動画中から探索するための確認データ２０４で構成される。作成予定のリストや内容情報は、セグメントメタデータ作成予定情報に相当する。
【００４４】
確認データ２０４は、図２の例では、セグメントメタデータの対象人物の顔と声である。対象人物の顔や声は、セグメントメタデータ作成予定情報の一部として入力され、作成予定記憶部１１３に記憶され、出力される。対象人物の声は、音声確認ボタンが作業者によりクリックされると、作成予定記憶部１１３から取得されて、図示しないスピーカーから出力される。
【００４５】
確認データ２０４は、作成者が作成予定のセグメントメタデータの開始点および終了点を探すために用いられる。本実施の形態では、作成者がジョグダイヤル等の入力装置を使って動画を進めたり、戻したりして、開始点と終了点を見つけるとボタン等の入力装置を操作する。このとき、入力装置がセグメント端点の入力手段として機能し、開始点や終了点といったセグメント端点が入力される。この過程で、確認データ２０４は、作成者がセグメントメタデータを探す作業の参考になり、セグメントメタデータ作成作業を支援する。作成者は、対象人物の顔や声を予め記憶していなくても、確認データ２０４を参考にして人物の顔や声といった特徴を把握して該当のシーンを探索でき、セグメントメタデータを作成できる。ここでは、セグメントメタデータを作成する場合について説明したが、作成済みセグメントメタデータを探す場合にも同様に確認データ２０４が利用されてよい。
【００４６】
上記の確認データ２０４は一例であり、本発明は上記の例に限定されない。確認データ２０４は、静止画でも動画でもよい。野球等のスポーツ映像のセグメントメタデータを作成する場合に、確認データ２０４は、背番号でもよい。また、確認データ２０４は、人物の特徴を示す文字列でもよい。さらに、本実施の形態では、人物以外の対象に対してセグメントメタデータが付与されてよいことはもちろんである。そして、確認データ２０４は、例えば、建物の形や色であってもよい。
【００４７】
以上の説明に示されるように、確認データ２０４は、対象のセグメント映像を識別する情報であり、静止画、動画、音声、および文字列のいずれか一つ以上で構成されてよい。確認データ２０４は、セグメントメタデータの対象になる映像に応じて、探索作業が容易になるように適当に設定されてよい。
【００４８】
次に、タイムライン表示部１１０について説明する。タイムライン表示部１１０は、作成済みセグメントメタデータをセグメントメタデータの種類毎に時系列で表示するものである。図３は、タイムライン表示部１１０により表示される画面の一例を示している。ここで、図３は、プロ野球において打者毎のセグメントメタデータを作成する場合を想定している。１つのタイムライン表示は、グループ毎の作成済みセグメントメタデータや作成途中のセグメントメタデータ３０１と、映像の特徴量が閾値以上変化したときのタイムコードや変化点の画像３０２と、動画の再生位置を示す情報３０３で構成される。
【００４９】
ここで、映像の特徴量の閾値以上の変化は、映像特徴量算出部１０３によって算出および検出される。映像の特徴量は、例えば、輝度平均値等の輝度値である。映像特徴量算出部１０３は、前後に並ぶ隣接フレーム間での輝度値の変化量が所定の閾値以上になったか否かを判定する。この処理により、場面が切り替わる点が検出される。この点は、カット点といわれる。特徴量の変化量の閾値は、カット点で一般に現れる大きな変化量と、カット点以外の部分に一般に見られる小さな変化量との間に設定される。
【００５０】
図４は、映像特徴量算出部１０３の処理を示している。図４（ａ）に示すように、映像特徴量算出部１０３は、映像特徴量が閾値以上変化したカット点のフレームのタイムコードを算出する。図示のように、カット点はカメラの切換時に現れる。そして、映像特徴量変化点の算出結果を基に、区間データが求められ、記憶部に記憶される。区間データは、図４（ｂ）に示すように、映像特徴量が閾値以上変化したフレームのタイムコード（タイムコード開始点）と、次に映像特徴量が閾値以上変化したフレームのタイムコード（タイムコード終了点）とである。一つの区間のタイムコード終了点は、次の区間のタイムコード開始点と同じになっている。
【００５１】
なお、上記のカット点間の区間とセグメントメタデータの対象区間の関係を説明しておくと、典型的には、図４（ｂ）の複数の区間が集まって、セグメントメタデータの一つの対象区間になる。例えば、野球の一打席が一つのセグメントメタデータであるとする。打席の途中でカメラが切り換わる度に、映像特徴量が閾値を超え、図４の区間（タイムコード開始点およびタイムコード終了点のペア）が検出される。こうして、一つのセグメントデータに対して、図４（ｂ）の複数の区間が検出される。
【００５２】
区間データとしては、さらに、区間データ内の映像の代表フレームのタイムコードも算出され、記録される。この代表フレームのタイムコードも映像特徴量算出部１０３により算出される。代表フレームは、タイムコード開始点からタイムコード終了点の間の映像を代表するフレームである。例えば、画像認識により、テロップの入ったフレームが検出され、代表フレームに指定される。
【００５３】
また、区間データは、表示部にも表示されてよい。図３の画面中では映像特徴量が閾値以上に変化するときのタイムコードや画像が表示されたが、同画面も図４で得られた情報を基に生成される。
【００５４】
次に、セグメントメタデータ作成制御部１０４について説明する。セグメントメタデータ作成制御部１０４は、セグメントメタデータ作成のために装置全体の各種構成の制御を行う。また、セグメントメタデータ作成制御部１０４は、セグメントメタデータを生成するセグメントメタデータ生成手段として機能し、開始・終了点入力部１０６から入力された開始点および終了点のタイムコードをセグメントメタデータ作成予定情報の映像内容情報と対応付けることによってセグメントメタデータを生成する。タイムコードは動画に添付されており、動画から求められてよい。開始点および終了点の入力時点で表示されている映像に対応するタイムコードが動画データから取得され、記録される。
【００５５】
また、セグメントメタデータ作成制御部１０４は、作成予定記憶部１１３に記憶されたセグメントメタデータ作成予定情報から、次に作成すべきセグメントメタデータの作成予定情報を判定して、求めた作成予定情報を表示部１０７に表示させる。この処理は、一つのセグメントメタデータが生成されたときに行われる。また、この処理は、作成予定表示条件設定記憶部１１５に記憶された表示条件設定情報を利用して行われる。表示条件設定情報は、作成予定入力部１０５から入力されて、作成予定表示条件設定記憶部１１５に記憶されている。
【００５６】
上記の表示処理を、野球の打者のセグメントメタデータを作成する場合を例に用いて説明する。図５に示すように、作成予定記憶部１１３は、セグメントメタデータ作成予定情報として、打者と打順のデータを記憶している。打者の名前は、セグメントメタデータの映像内容情報に相当する。打順は、本発明の出現予定順序情報の一例である。図の例では、打者のテーブルと打順のテーブルが紐付けられている。打者毎の打順の入力に応答して、図示の紐付け処理が行われ、これらテーブルを参照することにより打者毎の打順が特定される。また、図６に示すように、作成予定表示条件設定記憶部１１５は、表示条件として、「表示順序」「表示条件」および「表示内容」を記憶している。図の例では、表示順序は「打順昇順」であり、表示条件は「繰り返し」であり、表示内容は「打者名称」と指定されている。
【００５７】
セグメントメタデータ作成制御部１０４は、図６の表示条件設定情報に従って、次に作成すべきセグメントメタデータの作成予定情報を表示する。したがって、「表示順序＝打順昇順」「表示内容＝打者名称」という条件に従い、セグメントメタデータ作成制御部１０４は、打順に従って打者名称の表示を更新する。また、「表示条件＝繰り返し」となっているため、最終の打順に到達して最終打順の打者のセグメントメタデータが生成された場合には、先頭の打者の名称が表示される。勿論、打順が変更された場合には、打者と打順の紐付けを変更すれば、変更された打順の昇順で打者名を表示することが可能である。
【００５８】
上記の例では、打順の情報が、本発明の出現予定順序情報に相当し、セグメントメタデータの作成順序を示す情報として扱われた。作成順序の情報は、出現予定順序に限定されず、作成しようとするセグメントメタデータの種類に応じて設定されてよい。例えば、イニング毎のセグメントメタデータを作成する場合には、回数（１〜９回の表と裏で合計１８）が利用されてよく、この情報は、本発明の出現予定回数情報に相当する。
【００５９】
以上のように構成されたセグメントメタデータ作成装置について、以下その動作を説明する。図７は、セグメントメタデータ作成予定情報を利用してセグメントメタデータを作成する場合の動作を示している。
【００６０】
まず、作成予定入力部１０５がセグメントメタデータ作成予定情報を取り込み（Ｓ１００）、セグメントメタデータ作成制御部１０４は、取り込んだセグメントメタデータ作成予定情報を作成予定記憶部１１３に格納すると共に、セグメントメタデータ作成予定情報をセグメントメタデータの種類毎にグループ化し、グループ毎にセグメントメタデータ作成予定情報を表示する（Ｓ１０１）。
【００６１】
セグメントメタデータ作成者は、グループ毎に表示された作成予定中に表示されている確認データを利用して、動画中から作成予定のセグメントメタデータの開始点および終了点を探索し、開始点および終了点の入力操作を行う。開始点および終了点はセグメント端点である。探索作業では、ジョグダイヤル等が用いられて、画像が進めたり、戻される。そして、まず、開始点および終了点の一方が探索および入力され、続いて、他方が探索および入力される。上記の作業が行われるとき、セグメントメタデータ作成装置１００は下記のように動作する。
【００６２】
図７に示すように、開始・終了点入力部１０６は、作成者の操作に応答して、開始点または終了点をセグメント端点として入力する（Ｓ１０２）。セグメントメタデータ作成部１０４は、セグメント端点の入力時にグループ表示部１１０により表示されているセグメントメタデータ作成予定情報を選択し、選択された作成予定に含まれる映像内容情報と入力されたセグメント端点を対応付ける（Ｓ１０３）。
【００６３】
そして、セグメントメタデータ作成制御部１０４は、開始点、終了点が共に付与されているかを判断する（Ｓ１０４）。開始点もしくは終了点のどちらかしか付与されていない場合は（Ｓ１０４、Ｎｏ）、セグメントメタデータ作成制御部１０４は、開始点もしくは終了点のみのセグメントメタデータを記憶部へ登録し（Ｓ１０５）、ステップＳ１０２に戻り、さらなる入力を待つ。
【００６４】
ステップＳ１０４で開始点および終了点が共に付与されている場合は、セグメントメタデータ作成制御部１０４は、それらが付与されたセグメントメタデータを作成済みセグメントメタデータとして表示部へ表示し（Ｓ１０６）、記憶部へ作成済みセグメントメタデータを登録する（Ｓ１０７）。
【００６５】
上記の過程では、例えば、ステップＳ１０２で最初に開始点が入力されたときは、ステップＳ１０４がＮｏになり、ステップＳ１０２に戻る。次のループのステップＳ１０２で終了点が入力されると、ステップＳ１０４がＹｅｓになって、セグメントメタデータが表示および登録される。
【００６６】
ステップＳ１０７で作成済みセグメントメタデータが登録されると、セグメントメタデータ作成制御部１０４は、セグメントメタデータの作成を終了するか否かを判定する（Ｓ１０８）。ステップＳ１０８の判定がＮｏであれば、セグメントメタデータ作成制御部１０４は、開始点、終了点が付与された以外のセグメントメタデータ作成予定情報から、次に作成すべきセグメントメタデータの作成予定情報を抽出し、表示部１０７に表示させ（Ｓ１０９）、ステップＳ１０２に戻る。
【００６７】
上記の処理が、セグメントメタデータの作成が終了するまで繰り返される。ステップＳ１０８の終了判定は、例えば、作成者の作成終了指示が入力装置から入力されるとＹｅｓになり、その場合にはセグメントメタデータの作成が終了する。
【００６８】
以上に、図７のセグメントメタデータ作成処理について説明した。上記の作成処理は、野球放送を例にとると、下記のようにして行われる。ここでは、複数のグループのうちの一つのグループとして、打席毎のセグメントメタデータのグループを取り上げる。図７のステップＳ１００では、セグメントメタデータ作成予定情報として、打者名とその確認データと打順とが入力され、ステップＳ１０１で作成予定情報が表示される。まず、先頭打者の名前と確認データが表示される。確認データは例えば顔写真である。
【００６９】
動画としては、先頭打者の打席の映像が表示され、続いて２番打者の打席の映像が表示される。作成者は、先頭打者の打席が終わると、先頭打者の映像の開始点と終了点を探して入力する。このときに確認データが参考にされる。例えば、まず、開始点が入力され、それから、終了点が入力される。なお、開始点は、先頭打者の打席の途中で入力されてもよい。開始点と終了点が入力されると、ステップＳ１０４の判定がＹｅｓになり、ステップＳ１０６、Ｓ１０７で作成済みセグメントメタデータが表示および登録され、ステップＳ１０９で２番打者のセグメントメタデータ作成予定情報が表示される。
【００７０】
このような処理が繰り返されて、順次セグメントメタデータが作成されていき、動画の表示と並行してリアルタイムにセグメントメタデータが作成される。
【００７１】
なお、ここまで説明してきたように、本実施の形態では、セグメントメタデータの映像内容情報が予め作成予定情報として入力されており、その映像内容情報に、動画を見て入力されたセグメント端点が対応付けられる。このような予め入力された映像内容情報以外に、後からさらに映像内容情報が追加されてもよい。追加の映像内容情報の入力は、セグメント端点の入力作業と一緒に行われてよい。追加の映像内容情報は、図２の画面中に書き込まれてよい。
【００７２】
セグメントメタデータ作成装置１００のその他の機能としては、下記の動画表示機能が備えられている。この機能では、セグメントメタデータ作成制御部１０４は、表示部１０７に作成済みセグメントデータを表示する。そして、セグメントメタデータ作成制御部１０４は、選択受付手段として機能し、作成済みセグメントメタデータの表示選択操作を入力装置（図示せず）を介して受け付ける。セグメントメタデータ作成制御部１０４は、表示選択操作を受け付けると、該当するセグメントメタデータの動画を表示部１０７に表示させる。この制御では、セグメントメタデータ作成制御部１０４は、選択されたセグメントメタデータの開始点および終了点のタイムコードを映像・音声制御部１０２に供給する。映像・音声制御部１０２は、動画に添付されたタイムコードを参照して、開始点から終了点までの動画を映像・音声記憶部１１２から読み出して、表示部１０７に表示する。
【００７３】
次に、本実施の形態の応用例を説明する。ここでは、付加的な機能として、セグメントメタデータの自動生成機能を説明する。この機能は、主として映像特徴量算出部１０３とセグメントメタデータ作成制御部１０４により実現される。
【００７４】
映像特徴量算出部１０３は、前述したように、動画から映像の特徴量が閾値以上変化するときのタイムコードをカット点のタイムコードとして検出する。このとき、映像特徴量算出部１０３は、カット点検出手段として機能している。映像特徴量は例えばフレームの輝度平均値の変化量であり、カメラが切り替わるときに現れる輝度変化量とその他の映像部分での輝度変化量との間に判定閾値が設定されている。
【００７５】
カット点は、画面が切り替わる度に検出される。したがって、カット点は、セグメントメタデータのセグメント端点（開始点または終了点）と一致する場合もあれば、そうでなはない場合（すなわち、セグメントメタデータの対象区間の途中でカメラ映像が切りかわった点の場合）もある。そこで、セグメントメタデータ作成制御部１０４は、下記のようにして、カット点の中からセグメント端点を抽出および検出する。
【００７６】
セグメントメタデータ作成制御部１０４は、画像処理機能を有し、動画を取り込んで、セグメントメタデータ作成予定情報と動画に基づいて、各カット点がセグメント端点であるか否かを判定し、これによりセグメント端点を検出する。画像処理では、どのカット点からどのカット点までが、セグメントメタデータの対象区間であるかが判定される。本実施の形態では、画像処理によって映像中の文字が認識され、文字からセグメント端点が検出される。
【００７７】
例えば、野球の打席映像のセグメントメタデータが生成されるとする。画像処理としては、打者名のテロップ映像から打者名が認識される。一例として、打者Ｘのセグメントメタデータを自動生成するとする。そして、打者Ｘの打者名（テロップ）が時間ＴＸに最初に認識されたとする。この場合、時間ＴＸの前であって直近のカット点が、セグメントメタデータの開始点であると判定される。また、打者Ｘの次の打者Ｙの打者名が時間ＴＹに最初に認識されたとする。この場合、時間ＴＹの直前のカット点が、打者Ｘのセグメントメタデータの終了点であると判定される。
【００７８】
セグメントメタデータ作成制御部１０４は、上述のようにして判定したセグメント端点を、映像内容情報と対応付け、これによりセグメントメタデータを自動生成する。
【００７９】
自動生成されたセグメントメタデータは、表示部１０７に表示される。作成者は、表示を見て、自動生成されたセグメントメタデータが正しいか否かを判定する。セグメントメタデータが正しくなければ、開始点・終了点入力部１０６を介して、正しいセグメント端点が入力される。セグメントメタデータが正しければ、開始点・終了点入力部１０６を介して、承認信号が入力される。この承認信号の入力も、セグメント端点の入力に相当する。
【００８０】
以上に本発明の実施の形態に係るセグメントメタデータ作成装置１００とそれによるセグメントメタデータ作成方法について説明した。本実施の形態によれば、セグメントメタデータ作成予定情報として、作成予定のセグメントメタデータを構成すべき映像内容情報が入力され、作成予定情報が表示される。作成者は、動画の内容を全て記憶していなくても、作成予定情報を見てセグメント端点を入力すればよく、したがって、セグメントメタデータの作成が容易になる。
【００８１】
また、本実施の形態によれば、映像内容情報と共に確認データが表示される。確認データは、セグメントメタデータが付されるセグメント映像を識別する情報であり、対象のセグメント映像を特徴づけるものである。確認データが出力されるので、作成者は、確認データを見ながら、セグメント端点（開始点および終了点）を容易に探索できる。上述の例では、セグメント映像に出現する人物の顔や特徴などが確認データとして表示され、これにより、動画に出現する人物の顔や特徴などを全て理解していなくとも作成者はセグメントメタデータの作成作業を行える。このようにして、セグメントメタデータの作成が容易になる。
【００８２】
また、本実施の形態によれば、複数種類のセグメントメタデータのセグメントメタデータ作成予定情報が入力され、複数種類のセグメントメタデータ作成予定情報および作成済みセグメントメタデータが種類別に表示される。したがって、多種のセグメントメタデータをデータの種類別に表示できるので、多種のセグメントメタデータを作成することが可能となる。
【００８３】
また、本実施の形態によれば、作成済みセグメントメタデータが時系列で表示される。したがって、セグメントメタデータ作成後に確認したいセグメントメタデータを容易に選択することが可能となる。
【００８４】
また、本実施の形態によれば、作成予定入力手段が、複数のセグメントメタデータをそれぞれ付与する予定の複数のセグメント映像の出現予定順序情報を入力し、セグメントメタデータ生成手段が、出現予定順序情報に基づいて、次に作成すべきセグメントメタデータのセグメントメタデータ作成予定情報でもって表示手段の表示を更新する。出現予定順序情報は例えば前述の打順である。この構成により、次に作成すべきセグメントメタデータの作成予定情報を表示することが可能となる。作成者は、順次表示される作成予定のセグメントメタデータのセグメント端点を入力する。したがって、セグメントメタデータの作成作業が容易になる。
【００８５】
また、本実施の形態によれば、作成予定入力手段が、複数のセグメントメタデータをそれぞれ付与する予定の複数のセグメント映像の出現予定回数情報を入力し、セグメントメタデータ生成手段は、出現予定回数情報に基づいて次に作成すべきセグメントメタデータのセグメントメタデータ作成予定情報でもって表示手段の表示を更新する。出現予定回数は例えば野球のイニング数である。この構成によっても、セグメントメタデータの作成作業が容易になる。
【００８６】
また、本実施の形態によれば、特徴量算出部１０３がカット点検出手段として機能し、動画から映像の特徴量が閾値以上変化するときのカット点タイムコードを検出する。そして、カット点の中からセグメント端点が検出されて、セグメントメタデータが自動生成される。これにより、セグメントメタデータの生成がさらに容易になる。この点に関し、従来は、フレームレベルの精度でセグメント開始点および終了点を生成しようとすると、フレームを１枚ずつ参照して、セグメントの始まりと終わりのフレームを探す作業が必要であり、作業に時間がかかっていた。本実施の形態では、画像処理により特徴量からフレームレベルの精度でカット点が検出されるので、フレームレベルの精度でセグメントメタデータを作成するのに要する時間を短縮することができる。
【００８７】
また、本実施の形態によれば、表示手段に表示された作成済みセグメントメタデータの選択が受け付けられて、選択が受け付けられた作成済みセグメントメタデータに対応するセグメント映像が表示手段に表示される。したがって、生放送番組等で次々にメタデータを更新するようなサービスの場合でも、作成したメタデータの開始点、終了点およびメタデータの内容を迅速に確認することができる。
【００８８】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００８９】
以上のように、本発明にかかるセグメントメタデータ作成装置およびセグメントメタデータ作成方法は、セグメントメタデータの作成を容易にできるという効果を有し、放送局において放送中の映像にセグメントメタデータを作成する装置等として有用である。
【図面の簡単な説明】
【００９０】
【図１】本発明の実施の形態におけるセグメントメタデータ作成装置のブロック図
【図２】本発明の実施の形態におけるセグメントメタデータ作成装置のグループ表示部の表示の一例を示す図
【図３】本発明の実施の形態におけるセグメントメタデータ作成装置のタイムライン表示部の表示の一例を示す図
【図４】本発明の実施の形態におけるセグメントメタデータ作成装置の映像特徴量算出部の算出データの一例を示す図、（ａ）映像特徴量変化点を示す図、（ｂ）区間データを示す図
【図５】本発明の実施の形態におけるセグメントメタデータ作成装置の作成予定記憶部で記憶するデータの一例を示す図
【図６】本発明の実施の形態におけるセグメントメタデータ作成装置の作成予定表示条件設定記憶部で記憶するデータの一例を示す図
【図７】本発明の実施の形態におけるセグメントメタデータ作成装置のセグメントメタデータ作成動作のフロー図
【符号の説明】
【００９１】
１００  セグメントメタデータ作成装置
１０１  映像・音声入力部
１０２  映像・音声制御部
１０３  映像特徴量算出部
１０４  セグメントメタデータ作成制御部
１０５  作成予定入力部
１０６  開始点・終了点入力部
１０７  表示部
１０８  動画表示部
１０９  タイムライン表示部
１１０  グループ表示部
１１１  記憶部
１１２  映像・音声記憶部
１１３  作成予定記憶部
１１４  作成済みセグメントメタデータ記憶部
１１５  作成予定表示条件設定記憶部
【図１】
2007124368.tif 000003
【図２】
2007124368.tif 000004
【図３】
2007124368.tif 000005
【図４】
2007124368.tif 000006
【図５】
2007124368.tif 000007
【図６】
2007124368.tif 000008
【図７】
2007124368.tif 000009